【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
地震遮断フローリングシステムにおいて、
ａ）上面及び下面を各々有する一つ又はそれ以上の水平なフローリングパネルと、
ｂ）前記フローリングパネルを支持するようになったフレームと、
ｃ）前記フレームから垂直方向下方に延びる複数の負荷支持フローリング受台と、
ｄ）複数の地震遮断ベアリングとを含み、これらのベアリングの各々は、下向きの剛性負荷面を持つ上負荷プレートと、上向きの剛性負荷面を持つ下負荷プレートとを含み、前記面のうちの少なくとも一方が、凹状又は円錐形のキャビティを形成する凹状負荷面を形成し、前記プレート間にボールが挟んであり、
前記ベアリングの各々は、フローリング受台に直接的に又は間接的に固定されており、前記パネルの前記上面に加わった負荷は、前記フレーム、受台、及びベアリングを通して基礎に伝達される、フローリングシステム。
【請求項２】
請求項１に記載のフローリングシステムにおいて、
少なくとも一つの前記ベアリングの前記上負荷プレートは、対応する受台の下端に固定されており、前記ベアリングの前記下負荷プレートは、前記基礎の上に直接的に又は間接的に配置される、フローリングシステム。
【請求項３】
請求項１に記載のフローリングシステムにおいて、
前記ベアリングの各々の前記上負荷プレートは、対応する受台の下端に固定されており、前記ベアリングの各々の前記下負荷プレートは、前記基礎の上に直接的に又は間接的に配置される、フローリングシステム。
【請求項４】
請求項１に記載のフローリングシステムにおいて、
少なくとも一つの前記ベアリングの前記上負荷プレートは前記フレームに固定され、前記ベアリングの前記下負荷プレートは対応する受台の上端に固定され、前記受台は、前記基礎の上に直接的に又は間接的に配置される、フローリングシステム。
【請求項５】
請求項１ないし４のいずれか１項に記載のフローリングシステムにおいて、
前記凹状負荷面は、中央頂部、凹状周囲、及びこれらの間を延びる円錐形領域を含む、フローリングシステム。
【請求項６】
請求項５に記載のフローリングシステムにおいて、
前記円錐形領域は一定の傾斜によって形成されている、フローリングシステム。
【請求項７】
請求項１ないし６のいずれか１項に記載のフローリングシステムにおいて、
前記基礎、前記フレーム、及び前記パネルは、前記フロアと前記基礎との間にキャビティを形成する、フローリングシステム。
【請求項８】
請求項１ないし７のいずれか１項に記載のフローリングシステムにおいて、
前記フローリングには、実質的に一定の復元力が作用する、フローリングシステム。
【請求項９】
請求項１ないし８のいずれか１項に記載のフローリングシステムにおいて、
前記フローリングには、１００％重力による復元力が作用する、フローリングシステム。
【請求項１０】
請求項１ないし９のいずれか１項に記載のフローリングシステムにおいて、更に、
振動イベント中に前記フロアの加速度を低下する減衰手段を含む、フローリングシステム。
【請求項１１】
請求項１０に記載のフローリングシステムにおいて、
前記減衰手段は、基端が前記基礎に直接的に又は間接的に取り付けられており且つ先端が前記フレーム又は前記フローリングに直接的に又は間接的に取り付けられた少なくとも一つのエネルギ吸収エレメントを含む、フローリングシステム。
【請求項１２】
請求項１１に記載のフローリングシステムにおいて、
前記少なくとも一つのエネルギ吸収エレメントは、弾性構成要素及び空気圧エレメントからなる群から選択される、フローリングシステム。
【請求項１３】
請求項１１または１２に記載のフローリングシステムにおいて、
前記エネルギ吸収エレメントは空気圧構成要素を含む、フローリングシステム。
【請求項１４】
請求項１１ないし１３のいずれか１項に記載のフローリングシステムにおいて、
前記エネルギ吸収エレメントは、基端が、前記基礎の上に支持されたハブに直接的に連結されており、先端が負荷支持受台に直接的に連結されている、フローリングシステム。
【請求項１５】
請求項１４に記載のフローリングシステムにおいて、
前記減衰手段は、基端が前記基礎に直接的に又は間接的に取り付けられており且つ先端が前記フレーム又は前記フローリングに直接的に又は間接的に取り付けられた三つ又はそれ以上のエネルギ吸収エレメントを含む、フローリングシステム。
【請求項１６】
請求項１４または１５に記載のフローリングシステムにおいて、
前記少なくとも一つのエネルギ吸収エレメントは、弾性構成要素及び空気圧エレメントからなる群から選択される、フローリングシステム。
【請求項１７】
地震遮断フローリングシステムにおいて、
ａ）上面及び下面を各々有する一つ又はそれ以上の水平なフローリングパネルと、
ｂ）前記フローリングパネルを支持するようになったフレームと、
ｃ）前記フレームに直接的に又は間接的に取り付けられた複数の負荷支持フローリング受台と、
ｄ）複数の地震遮断ベアリングとを含み、これらのベアリングの各々は、下向きの剛性負荷面を持つ上負荷プレートと、上向きの剛性負荷面を持つ下負荷プレートとを含み、前記面のうちの少なくとも一方が、円錐形のキャビティを形成する凹状負荷面を形成し、前記プレート間にボールが挟んであり、
前記ベアリングの各々は、フローリング受台に固定されており、前記パネルの前記上面に加わった負荷は、前記フレーム、受台、及びベアリングを通して基礎に伝達される、フローリングシステム。
【請求項１８】
請求項１７に記載のフローリングシステムにおいて、
前記遮断ベアリングは、各々、凹所をなした上向きの負荷面及び下向きの負荷面を含む、フローリングシステム。
【請求項１９】
請求項１７または１８に記載のフローリングシステムにおいて、
前記凹所をなした負荷面の各々の直線状部分の傾斜は、少なくとも約６°である、フローリングシステム。
【請求項２０】
請求項１７ないし１９のいずれか１項に記載のフローリングシステムにおいて、
前記凹所をなした負荷面の各々の直線状部分の傾斜は、約６°乃至約８°である、フローリングシステム。
【請求項２１】
請求項１７ないし２０のいずれか１項に記載のフローリングシステムにおいて、
前記凹所をなした負荷面の各々の直線状部分の傾斜は、約６．１°である、フローリングシステム。
【請求項２２】
請求項１７ないし２１のいずれか１項に記載のフローリングシステムにおいて、
前記凹所をなした負荷面の各々の直線状部分の傾斜は、６．１°である、フローリングシステム。
【請求項２３】
請求項１７ないし２２のいずれか１項に記載のフローリングシステムにおいて、
前記凹所をなした負荷面の各々の直線状部分の傾斜は、約７．７°である、フローリングシステム。
【請求項２４】
請求項１７ないし２３のいずれか１項に記載のフローリングシステムにおいて、
前記凹所をなした負荷面の各々の直線状部分の傾斜は、７．７°である、フローリングシステム。
【請求項２５】
請求項１７ないし２４のいずれか１項に記載のフローリングシステムにおいて、
前記凹所をなした負荷面は、中央頂部と、凹状周囲と、これらの間を延びる円錐形領域とを含む、フローリングシステム。
【請求項２６】
請求項２５に記載のフローリングシステムにおいて、
前記凹状周囲は、前記凹所をなした負荷面を内部に形成する周囲を含む、フローリングシステム。
【請求項２７】
請求項２５または２６に記載のフローリングシステムにおいて、
前記凹所をなした負荷面の直径は、約２０．３２ｃｍ乃至３５．５６ｃｍ（約８インチ乃至約１４インチ）である、フローリングシステム。